(57)【要約】【課題】振るい目の目詰まりが生じ難く、分別効率のよい分別装置とその分別方法の提供。【解決手段】振動するスクリーンの振るい目を介して分別する分別装置において、スクリーン面上の被分別物中の塊に衝突（接触）して破砕させる破砕部材を、当該スクリーンの振動に応じて受動的に振動するように当該スクリーン面上に配設して、破砕部材とスクリーンとの間を流下する被分別物中の塊を破砕、粉砕させる構成であり、更に、スクリーン１１の振るい目に出入可能な突起や凹凸等を無数に設けて破砕或は粉砕効果を高めると共に、突起や凹凸を振るい目に出入或は接触させることにより振るい目の目詰まりを常時防止させる。【選択図】  図３
2008264639.tif 000002
【特許請求の範囲】
【請求項１】
被分別物が振動しながらスクリーン面上を流下して、サイズの大小に応じてスクリーン面上を流下する不通分別物と当該スクリーン面に形成された振るい目から落下する通過分別物とに分別する前記スクリーンを備えた分別装置において、
前記スクリーン面上を流下して来る被分別物中の塊にふれて破砕する破砕部材が、前記スクリーンの振動に応じて受動的に振動すると共に、当該破砕部材と前記スクリーンとの間に被分別物が流下するように前記スクリーン面上に配設され、たことを特徴とする分別装置。
【請求項２】
塊は、土の塊のみならず、土が付着した砂や石やその他の被分別物を構成する物であることを特徴とする請求項１に記載の分別装置。
【請求項３】
破砕部材は、スクリーン面上に広げられた網であることを特徴とする請求項１又は請求項２に記載の分別装置。
【請求項４】
網は、流下する被分別物層の上層側が網目に触れながら網の下を潜るように設けられたことを特徴とする請求項３に記載の分別装置。
【請求項５】
網は、チェーンを格子状に編んだチェーン網であることを特徴とする請求項３乃至請求項４の何れかに記載の分別装置。
【請求項６】
網は、スクリーンの傾斜上流側において被分別物の流入口を形成するよう網縁がスクリーン面との間に間隙が生ずるよう持ち上げられたことを特徴とする請求項３乃至請求項５の何れかに記載の分別装置。
【請求項７】
破砕部材は、１枚のスクリーンの傾斜上流側から下流に向かって複数枚の網が重ならないよう複数段に渡って設けられたことを特徴とする請求項３乃至請求項６の何れかに記載の分別装置。
【請求項８】
チェーンは金属製又は合成樹脂製であることを特徴とする請求項３乃至請求項６の何れかに記載の分別装置。
【請求項９】
チェーンの表面には、スクリーンの振るい目に出入可能な突起を無数に設けたことを特徴とする請求項３乃至請求項８の何れかに記載の分別装置。
【請求項１０】
破砕部材は、複数の球状体が間隔をおいて一筋の数珠状に連繋された連繋体であることを特徴とする請求項１又は請求項２に記載の分別装置。
【請求項１１】
球状体は表面に凹凸が形成されたことを特徴とする請求項１０に記載の分別装置。
【請求項１２】
球状体は、剛性の軸で直線的に連繋されたことを特徴とする請求項１０又は請求項１１の何れかに記載の分別装置。
【請求項１３】
球状体は、軸に回転自在に貫通されたことを特徴とする請求項１２に記載の分別装置。
【請求項１４】
球状体は、柔軟な索条で連携されたことを特徴とする請求項１０又は請求項１１の何れかに記載の分別装置。
【請求項１５】
索条はチェーンであることを特徴とする請求項１４に記載の分別装置。
【請求項１６】
破砕部材は、１枚のスクリーンの傾斜上流側から下流に向かって複数本の連繋体が複数段に渡って、被分別物の流下方向と交差する方向に張設されたことを特徴とする請求項１０乃至請求項１５の何れかに記載の分別装置。
【請求項１７】
連繋体は金属製又は合成樹脂製であることを特徴とする請求項１０乃至請求項１５の何れかに記載の分別装置。
【請求項１８】
球状体の表面には、スクリーンの振るい目に出入可能な突起を無数に設けたことを特徴とする請求項１０乃至請求項１７の何れかに記載の分別装置。
【請求項１９】
破砕部材は、１枚のスクリーンの傾斜上流側から下流に向かって、上流端側が固定されて自在に流下された長尺物であって、その長尺物の少なくともスクリーン面側には、スクリーンの振るい目に出入可能な突起が無数に形成されたことを特徴とする請求項１又は請求項２の何れかに記載の分別装置。
【請求項２０】
長尺物はチェーン状、帯状、又は、棒状の何れかであることを特徴とする請求項１９に記載の分別装置。
【請求項２１】
長尺物は金属製又は合成樹脂製であることを特徴とする請求項１９又は請求項２０の何れかに記載の分別装置。
【請求項２２】
被分別物が振動しながらスクリーン面上を流下して、サイズの大小に応じてスクリーン面上を流下する不通分別物と当該スクリーン面に形成された振るい目から落下する通過分別物とに分別する前記スクリーンを備えた分別装置において、
前記スクリーン面上を流下して来る被分別物中の塊に衝突して当該塊を破砕する破砕部材を、前記スクリーンの振動に応じて受動的に振動するように前記スクリーン面上に配設して、被分別物中の塊を破砕させることを特徴とする分別方法。
【請求項２３】
被分別物が振動しながらスクリーン面上を流下して、サイズの大小に応じて面上を流下する物と当該面に形成された振るい目から落下する物とに分別する前記スクリーンを備えた分別装置において、
前記スクリーン面上を流下して来る被分別物中の塊に衝突して当該塊を破砕可能な破砕部材を、前記スクリーンの振動に応じて受動的に振動するように前記スクリーン面上に配設して、被分別物中の塊を破砕させると共に、
前記破砕部材の表面に、スクリーンの振るい目に出入可能な突起を無数に設けて、スクリーンの振るい目の目詰まりを防止させることを特徴とする分別方法。
【発明の詳細な説明】
【技術分野】
【０００１】
本発明は、土木建築工事現場等において生じる、石や砂のみならず木片やビニールやコンクリート破片等が様々に入り混じった混合土等の廃土から石や土を分別する際の分別装置や、採石場や採砂場において用いられる土を含む砂や石を分別する際の分別装置なに関し、詳しくは、分別装置の振るい分け手段（振分手段）とその分別方法とに関する。
【背景技術】
【０００２】
従来、振分手段としては、網目状或はフォーク状の振るい目が形成されたスクリーンが用いられており、分別効率を高めるために、スクリーンはスクリーン面が傾斜する形で設置され、且つそのスクリーンには振動が与えられ、当該スクリーンの傾斜上流側に投入或は落下された被分別物がスクリーン面上を流下する過程で、スクリーン面上の振るい目を通過する物（通過分別物）と通過しない物（不通分別物）とに分別されており、振るい目サイズの異なるスクリーンが適宜複数段間隔をおいて重ねられた構成とされている。
【０００３】
図６及び図７に基づいて、従来の分別装置と分別方法とを簡単に説明する。
図６に示す分別装置は、３枚のスクリーン５１，５２，５３が上下方向に間隔をおいて重なり合うように構成された分別装置の振分手段５０の構成を示す模式図であり、図７はその振分手段を構成する３枚のスクリーンを側面側から観た説明図である。
【０００４】
３枚のスクリーン５１，５２，５３は振るい目が網目状のもので、振るい目サイズが上から下のスクリーンの順に「大→小」となっており、各スクリーン５１，５２，５３は傾斜された状態で平行に設定されている。
尚、これらの各スクリーン５１，５２，５３は図示されていない振動発生手段により、分別作動中は上下方向或は左右方向に振動する構成とされている。
【０００５】
最上段のスクリーン５１の傾斜上流側に投入或いは落下された被分別物は、
振動する第１のスクリーン５１の面上を、振動により転動或は跳ね踊りながら流下していく過程で、網目を通過しない不通分別物１と通過した通過分別物２とに分別（第１の分別）され、不通分別物１は第１分別物１として回収される。
【０００６】
通過分別物２は、振動する第２のスクリーン５２の面上を、同様に振動により転動或は跳ね踊りながら流下していく過程で、網目を通過しない不通分別物２−１と通過した通過分別物３とに分別（第２の分別）され、不通分別物２−１は第２分別物（２−１）として回収される。
【０００７】
通過分別物３は、振動する第３のスクリーン５３の面上を、同様に流下していく過程で、不通分別物３−１と通過した分別物４とに分別（第３の分別）され、不通分別物３は第３分別物（３−１）として回収され、通過分別物４は第４分別物（４）として回収される。
こうして、この従来例に示す分別装置は、振るい目サイズの異なるスクリーンを三段構成として、被分別物を４つに分別する。
【発明の開示】
【発明が解決しようとする課題】
【０００８】
しかしながら、上述のような構成の分別装置では、傾斜させたスクリーンに振動を与えながら分別してはいるが、被分別物画湿り気を帯びた土、例えば地面の掘り起こした廃土を含む被分別物では、湿気を帯びた土がスクリーンの振い目（網目）に付着して目詰まりを起こし易くしてしまうため、目詰まりを起こす度に装置を止め、作業を中断しての、目詰まり解消作業が頻繁に必要となる。
【０００９】
又、一旦目詰まりを起こし始めると、分別機能が一気に低下して、分別作業を停止しても、本来の分別物にサイズの異なる異種の分別物が混入してしまい、再度の分別作業が必要となったりする。
【００１０】
又、被分別物中に湿気を帯びた廃土が混じると、スクリーンを流下する間に土だけの丸い塊となり易く、丸い塊になるとスクリーンを流下する被分別物層の上層を転がって流下してしまい、本来、廃土が混入するはずのない分別物に土が混入してしまうという不都合が生じ、再度の分別が必要となる。
【００１１】
又、湿気を帯びた土は、被分別物中の石や砂或はアスファルト塊やコンクリート破片等々の瓦礫表面に付着し易く、土が付着したままで石や砂等が分別されてしまったりもする。
【００１２】
このように、従来の分別装置の構造のままでは、振るい目の目詰まりが生じ易く、又目詰まりが生じ易いため効率的な分別回収が困難となる等の課題があった。
【００１３】
本発明は、このような課題の解決を目的とし、振るい目の目詰まりが生じ難く、分別効率のよい分別装置とその分別方法の提供を目的とする。
【課題を解決するための手段】
【００１４】
請求項１の分別装置の発明は、被分別物が振動しながらスクリーン面上を流下して、サイズの大小に応じてスクリーン面上を流下する不通分別物と当該スクリーン面に形成された振るい目から落下する通過分別物とに分別する前記スクリーンを備えた分別装置において、前記スクリーン面上を流下して来る被分別物中の塊にふれて破砕する破砕部材が、前記スクリーンの振動に応じて受動的に振動すると共に、当該破砕部材と前記スクリーンとの間に被分別物が流下するように前記スクリーン面上に配設されたことを特徴とする。
【００１５】
請求項２の発明は、請求項１に記載の分別装置において、塊は土の塊のみならず、土が付着した砂や石やその他の被分別物を構成する物であることを特徴とする。
【００１６】
請求項３の発明は、請求項１又は請求項２に記載の分別装置において、破砕部材はスクリーン面上に広げられた網であることを特徴とする。
【００１７】
請求項４の発明は、請求項３に記載の分別装置において、網は流下する被分別物層の上層側が網目に触れながら網の下を潜るように設けられたことを特徴とする。
【００１８】
請求項５の発明は、請求項３乃至請求項４の何れかに記載の分別装置において、網はチェーンを格子状に編んだチェーン網であることを特徴とする。
【００１９】
請求項６の発明は、請求項３乃至請求項５の何れかに記載の分別装置において、網はスクリーンの傾斜上流側において被分別物の流入口を形成するよう網縁がスクリーン面との間に間隙が生ずるよう持ち上げられたことを特徴とする。
【００２０】
請求項７の発明は、請求項３乃至請求項６の何れかに記載の分別装置において、破砕部材は１枚のスクリーンの傾斜上流側から下流に向かって複数枚の網が重ならないよう複数段に渡って設けられたことを特徴とする。
【００２１】
請求項８の発明は、請求項３乃至請求項６の何れかに記載の分別装置においえ、チェーンは金属製又は合成樹脂製であることを特徴とする。
【００２２】
請求項９の発明は、請求項３乃至請求項８の何れかに記載の分別装置において、チェーンの表面にはスクリーンの振るい目に出入可能な突起を無数に設けたことを特徴とする。
【００２３】
請求項１０の発明は、請求項１又は請求項２に記載の分別装置において、破砕部材は複数の球状体が間隔をおいて一筋の数珠状に連繋された連繋体であることを特徴とする。
【００２４】
請求項１１の発明は、請求項１０に記載の分別装置において、球状体は表面に凹凸が形成されたことを特徴とする。
【００２５】
請求項１２の発明は、請求項１０又は請求項１１の何れかに記載の分別装置において、球状体は剛性の軸で直線的に連繋されたことを特徴とする。
【００２６】
請求項１３の発明は、請求項１２に記載の分別装置において、球状体は軸に回転自在に貫通されたことを特徴とする。
【００２７】
請求項１４の発明は、請求項１０又は請求項１１の何れかに記載の分別装置において、球状体は柔軟な索条で連携されたことを特徴とする。
【００２８】
請求項１５の発明は、請求項１４に記載の分別装置において、索条はチェーンであることを特徴とする。
【００２９】
請求項１６の発明は、請求項１０乃至請求項１５の何れかに記載の分別装置において、破砕部材は１枚のスクリーンの傾斜上流側から下流に向かって複数本の連繋体が複数段に渡って、被分別物の流下方向と交差する方向に張設されたことを特徴とする。
【００３０】
請求項１７の発明は、請求項１０乃至請求項１５の何れかに記載の分別装置において、連繋体は金属製又は合成樹脂製であることを特徴とする。
【００３１】
請求項１８の発明は、請求項１０乃至請求項１７の何れかに記載の分別装置において、球状体の表面にはスクリーンの振るい目に出入可能な突起を無数に設けたことを特徴とする。
【００３２】
請求項１９の発明は、請求項１又は請求項２の何れかに記載の分別装置において、破砕部材は、１枚のスクリーンの傾斜上流側から下流に向かって、上流端側が固定されて自在に流下された長尺物であって、その長尺物の少なくともスクリーン面側には、スクリーンの振るい目に出入可能な突起が無数に形成されたことを特徴とする。
【００３３】
請求項２０の発明は、請求項１９に記載の分別装置にいおて、長尺物はチェーン状、帯状、又は、棒状の何れかであることを特徴とする。
【００３４】
請求項２１の発明は、請求項１９又は請求項２０の何れかに記載の分別装置において、長尺物は金属製又は合成樹脂製であることを特徴とする。
【００３５】
請求項２２の分別方法の発明は、被分別物が振動しながらスクリーン面上を流下して、サイズの大小に応じてスクリーン面上を流下する不通分別物と当該スクリーン面に形成された振るい目から落下する通過分別物とに分別する前記スクリーンを備えた分別装置において、前記スクリーン面上を流下して来る被分別物中の塊に衝突して当該塊を破砕する破砕部材を、前記スクリーンの振動に応じて受動的に振動するように前記スクリーン面上に配設して、被分別物中の塊を破砕させることを特徴とする。
【００３６】
請求項２３の分別方法の発明は、被分別物が振動しながらスクリーン面上を流下して、サイズの大小に応じて面上を流下する物と当該面に形成された振るい目から落下する物とに分別する前記スクリーンを備えた分別装置において、
前記スクリーン面上を流下して来る被分別物中の塊に衝突して当該塊を破砕可能な破砕部材を、前記スクリーンの振動に応じて受動的に振動するように前記スクリーン面上に配設して、被分別物中の塊を破砕させると共に、
前記破砕部材の表面に、スクリーンの振るい目に出入可能な突起を無数に設けて、スクリーンの振るい目の目詰まりを防止させることを特徴とする。
【発明の効果】
【００３７】
請求項１乃至請求項２３に記載の各発明によれば、何れも、スクリーン面上を流下する非分別物中の塊が、スクリーンの振動に応じて受動的に振動する破砕部材によって、流下を遮られ、流下圧を受けながら、且つ、スクリーンと破砕部材との上下２方向から、同期しない2つの振動を受けることにより、効率よく破砕されると共に、土の塊や、石や砂やコンクリート片等に付着した土を効率よく分離させることができ、更に、被分別物がスクリーン上に無い状態では、受動的に振動する破砕部材がスクリーン面を叩くことにより、その衝撃によってスクリーンの振るい目に付着した付着物をも効率よく振い落とすことができ、従来の装置に較べて、目詰まりを起こし難く、分別効率のよい分別装置を提供することができる。
【００３８】
請求項３乃至請求項９の各発明によれば、何れも、スクリーン面上を流下する土の塊や土が付着した石等の塊が、スクリーンの振動に応じて受動的に振動する網目の流下方向に延在する経綱によって、左右方向の迂回流下を妨げられながら流下方向と直交する方向に延在する緯綱によって流下を遮られ、スクリーンの振動と塊の自重とによる流下圧を受けながら、且つ、スクリーンと網（網目）との上下２方向からの同期しない２つの振動とによって、土の塊が分解したり、土が不着物から剥離したりして、塊が効率よく破砕される。
【００３９】
又、被分別物がスクリーン上に無い状態では、受動的に振動する網（網目）がスクリーンを叩くことにより、その衝撃によってスクリーンの振るい目に付着した付着物をも効率よく振い落とすことができる。
【００４０】
請求項７の発明によれば、被分別物の流下方向を遮るように複数枚の網が複数段に渡って設けられているので、上流側に設置された網の上にその網目を通過して躍り出た廃土塊等の塊を下流側に設置された次の段の網で、塊の上方からスクリーン面側に向かって振動や衝撃を与えることができるので、更に一段と、塊を効率よく破砕することができる。
【００４１】
請求項１０乃至請求項１５の各発明によれば、何れも、スクリーン面上を流下する塊が、スクリーンの振動に応じて受動的に振動する連繋体によって、左右方向の迂回流下を妨げられながら流下が遮られ、スクリーンの振動と自重とによる流下圧を受けながら、且つ、スクリーンと連繋体の球状体との上下２方向からの同期しない２つの振動とにより、流下する土等の塊が効率よく破砕されると共に、石やコンクリート片等の混入物に付着した土を効率よく混入物から分離させることができ、更に、被分別物がスクリーン上に無い状態では、受動的に振動する連繋体（球状体）がスクリーンを叩き、その衝撃によってスクリーンの振るい目の付着物をも効率よく振い落とすことができる。
【００４２】
請求項５乃至請求項８及び請求項１５において、破砕部材の網や索条をチェーンとすることにより、チェーンを構成するリング自体が相互に微振動するため、塊に対する破砕作用が一段と有効となると共に、小さな塊を更に小さな塊や粉末状に破砕或は粉砕することができるので、粉砕効率を一段と高めることができる。
【００４３】
請求項９、請求項１８、請求項１９において、破砕部材に、スクリーンの振るい目に出入可能な突起を無数に設けることにより振るい目の目詰まりを更に一段と効率よく解消させることができる。
【発明を実施するための最良の形態】
【００４４】
以下、本発明の最良の実施形態として、破砕部材が網状チェーンである実施例１と、破砕部材が球状体を索条で連繋した連繋体である実施例２と、破砕部材が帯状長尺物である実施例３とを例にして説明する。
【実施例１】
【００４５】
先ず、図１において、符号１１は分別装置を構成する振分手段としてのスクリーン面が傾斜するように設定されたスクリーンで、このスクリーン１１の振るい目１２は網目状である。図示のスクリーン１１は、従来と同様に、振分手段として振るい目サイズが異なる複数枚のスクリーンが複数段に構成された内の１枚であり、例えば最上段のスクリーン１１を示したものである。
【００４６】
従って、図１には示されていないが、この振分手段は、振るい目サイズが上（最上段）から下段のスクリーンの順に「大→小」で、各スクリーンは傾斜された状態で平行に設定されており、各スクリーンは図示されていない振動発生手段により、分別作動中は上下左右方向等に振動する構成とされている。
【００４７】
最上段のスクリーン１１の傾斜上流側に投入或いは落下された被分別物（図示せず）は、振動するスクリーン１１の面上を、振動により転動或は跳ね踊りながら流下していく過程で、振るい目１２を通過しない不通分別物と通過した通過分別物とに分別（第２の分別）され、不通分別物が第１分別物１として回収される。
【００４８】
スクリーン１１の振るい目１２を落下（通過）した通過分別物は、最上段の下（次段）に設置されて振動する第２のスクリーン（図示せず）の面上を、振動により転動或は跳ね踊りながら流下していく過程で、第２のスクリーンの振るい目を通過しない不通分別物（図示せず）と通過した通過分別物（図示せず）とに分別（第２の分別）され、不通分別物は第２分別物として回収される（図示せず）。
【００４９】
以下同様にして、第２のスクリーンの振るい目を通過した通過分別物３は、更に下の段（次段）の（第３の）スクリーン（図示せず）の面上を、同様に流下していく過程で、不通分別物と通過した通過分別物とに分別（第３の分別）されて行く。
こうして、この実施例１の分別装置もまた、従来と同様に振るい目サイズの異なる複数のスクリーン１１を複数段構成として、被分別物を幾つかの分別グループに分別する。
【００５０】
図１に示す通り、この実施例1では、最上段のスクリーン１１の面上に、網目状の破砕部材２１（以下、網目状破砕部材ともいう）が、当該スクリーン１１の振動に応じて受動的に振動するように、当該スクリーン１１の面上に広げられた状態に配設されており、網のように広げられたこの網目状破砕部材２１とスクリーン１１との間を被分別物（図示せず）が流下するように、傾斜するスクリーン１１面の上流（端）側では、網目状破砕部材２１の網縁がスクリーン１１面との間に間隙が生ずるよう支持柱３４で持ち上げて被分別物の流入口２２を形成している。
【００５１】
このように、網目状破砕部材２１をスクリーン１１の面上に配設することにより、網目状破砕部材２１の網目２３が、スクリーン１１面上を上流側から流下して来る被分別物中の土の塊や、土が付着した石や砂等の被分別物中の混入物等と接触（衝突）して、塊を破砕したり、付着した土を剥離させたりする。
以下、これらの作用を破砕ともいう、又、塊とは、土の塊のみならず、土が付着した砂や石やその他の被分別物を構成する物やその他の被分別物を構成物同士の塊等をいう。
【００５２】
網目状破砕部材２１は、綱やワイヤ等で構成された綱製の網でもよいが、図1に示すように、チェーンを格子状に編んだチェーン網がより好ましい。
破砕部材２１の網をチェーンとすることにより、チェーンを構成するリング自体が相互に微振動するため、塊に対する破砕作用が一段と有効となる。
又、塊を更に小さな塊や粉末状に破砕或は粉砕することができるので、粉砕効率を一段と高めることができる。
又、この網は、比較的重量のある、例えば金属製や合成樹脂製等ある方が塊との衝突時の衝撃力が大きくて破壊作用が高まる点から好ましい。
【００５３】
図２は、１枚のスクリーン、例えば最上段のスクリーン１１の面上に、破砕部材２１として複数枚の網、即ち網目状破砕部材２１を傾斜上流側から下流に向かって重ならないよう複数段（図示の例では３段）に渡って、網目状破砕部材２１１と、網目状破砕部材２１２と、網目状破砕部材２１３として設けたものである。
【００５４】
このように、被分別物の流下方向を遮るように複数枚の網を複数段（網目状破砕部材２１１，２１２，２１３）に渡って設けると、上流側に設置された網目状破砕部材２１１の上にその網目２３を通過して躍り出た廃土塊等の塊（図示せず）に対して、下流側に設置された次の段の網目状破砕部材２１２で、その塊の上方からスクリーン１１面側に向かって更に振動や衝撃を加えることができるので、先の段の網目状破砕部材２１から十分に破砕されないまま網の上面側に抜け出た塊も、次段の網目状破砕部材２１によって効率よく破砕される。
【００５５】
図３は、網目状破砕部材２１のチェーン網に、スクリーン１１の振るい目１２に出入可能な突起２４を無数に設けたものである。即ち、網目状破砕部材２１を構成するチェーンの表面、少なくともスクリーン１１側表面に、スクリーン１１の振るい目１２に出入可能な突起２４を無数に設けたものである。
【００５６】
このように、チェーン網に無数に突起２４を設けておくと、スクリーン１１の振るい目１２に当該チェーン網の振動に応じて突起２４が出入して、振るい目１２に付着した土を擦り落とすので、振るい目１２の目詰まりが常時防止され、分別作業が目詰まりにより中断されることなく、効率よく作業を行うことができる。
【００５７】
この実施例１によれば、スクリーン１１の面上を流下する土の塊や土が付着した石等の塊が、スクリーン１１の振動に応じて受動的に振動する破砕部材２１の網目２３が、その流下方向に沿って延在する経綱（網を構成する経綱）によって流れの左右方向への迂回流下が妨げられながら、流下方向と直交する方向に延在する緯綱（網を構成する緯綱）によって流下を遮られると共に、スクリーン１１の振動と塊の自重とによる流下圧を同時的に受けながら、スクリーン１１と網目２３）との上下２方向からの互いに同期しないで振動タイミングがずれた２つの振動とによる衝撃を受けるので、従来の装置に較べて、土の塊が分解する作用や、土が不着物から剥離する作用が一段と効果的に行なわれ、塊を効率よく破砕することができる。
【００５８】
又、被分別物がスクリーン上に無い状態では、受動的に振動する破砕部材２１（の網目２３）がスクリーン１１の面を叩くので、衝撃によってスクリーン１１の振るい目１２に付着した土などの付着物を、従来に較べて効率よく振い落とすことができる。
【００５９】
又、破砕部材２１としての網をチェーンで構成することにより、チェーンを構成するリング自体が相互に微振動するため、塊に対する上記の破砕作用が一段と有効となり、塊を更に小さな塊や粉末状に破砕或は粉砕することができ、粉砕効率を一段と高めることができる。
【００６０】
更に又、チェーン網に無数に突起２４を設けることにより、チェーン網の振動に応じて突起２４が振るい目１２に出入するので、振るい目１２の目詰まりを常時防止することができ、分別作業が効率よく行える。
【実施例２】
【００６１】
次ぎに、図４において、スクリーン１１の面上に配設される破砕部材を、複数の球状体３１が間隔をおいて一筋の数珠状に連繋された連繋体３３として構成された例を説明する。
破砕部材としての連繋体３３を構成する球状体３１は、単なる球でも、楕円状の球や扁平な球でよく、球の表面は平滑であっても或は図示していないが適度な凹凸を適当間隔で形成された物でよい。
このような球状体３１がスクリーン１１面上を流下してくる被分別物中の塊と接触し衝突することで塊を更に小さな塊に破砕し或は粉砕させる。
【００６２】
連繋体を構成する軸３２即ち複数の球状体３１を連携する紐帯としての軸３２は、図示の例では剛性の軸を用いて球状体３１を回転自在に直線的に貫通している。複数の球状体３１を1本の軸３２で串刺し状に一体化させることで、各球状体３１の見かけ上の質量を増大させて、塊に対する破壊力を向上させている。
【００６３】
このような連繋体３３が、１枚のスクリーン１１の傾斜上流側から下流に向かって複数段に渡り間隔を置いて、被分別物（図示せず）の流下方向と交差する方向に張設して破砕部材が構成されている。
又、破砕部材としての連繋体３３は上記実施例1と同様な金属製又は合成樹脂製であることが、上記実施例１の場合と同様な理由から好ましい。
【００６４】
図示の例では、軸３２は軸両端側に配設された支持中に上下動自在に支承させた構成とすることにより、十分に粉砕できない塊と接触した際には当該塊を球体３１が乗り越えて、次の段として配設されている下流側の球状体３１で破砕することが可能となる。しかも、塊を球状体31が乗り越える際に、塊に加わる破壊力を増大させることができる。
【００６５】
従ってこの場合、球状体３１が塊に接触して左右に逃げないよう、即ち、球状体３１を塊に乗りあがるよう、球状体３１の軸方向への移動が不能となるようにしておくのが好ましい。
従って又、紐帯は必ずしも剛性のある軸であることは必ずしも必要では無く、柔軟な索条、例えば綱やワイヤやチェーン等を用いてもよい。
尚、チェーンを用いると、上記実施例１と同様に当該チェーン自体の微振動に基づく破砕や粉砕作用効果が発揮される。
【００６６】
更に、図示はしてないが、上記のような球状体３１の表面には、実施例1の場合と同様に、スクリーン１１の振るい目１２に出入可能な突起（図示せず）を無数に設けてもよい。
このような突起を設けることにより上記実施例１と同様な作用効果を発揮できる。
【実施例３】
【００６７】
次に、図５に示す破砕部材は、１枚のスクリーン１１の傾斜上流側から下流に向かって、上流端側に流入口２２が形成されるように固定されて、下流端側が自由端側となるように自在に流下された柔軟な長尺物４１であり、この長尺物４１の表面、少なくともスクリーン１１面側には、スクリーン１１の振るい目１２に出入可能な突起４２を無数に設けてある。
【００６８】
この破砕部材としての長尺物４１は、上記実施例1や2と同様に、振動するスクリーン１１の振動を受けて受動的に振動すると共に、被分別物の流下勢いに押され、或は応じてのたうち、のたうちの際に、被分別中の塊に打ち当って塊を破砕し粉砕する。
【００６９】
従って、この長尺物４１は、図示の例では帯状の物としてあるが、これに限らずチェーン状或は棒状の物であってもよい（図示せず）。要するに、被分別物の流下に応じてのたうちができるような柔軟な素材のものであればよい。
【００７０】
従って又、突起４２に代えて、上記実施例１や２と同様に長尺物４１の表面にて適度な凹凸を設けておくだけでもよい。これらの突起４２や凹凸を設けることによって、塊に対する破砕や粉砕作用が効果的に行われると共に、スクリーン１１の振るい目１２に付着する土を除去することに成るので、上記実施例１や２と同様の作用効果を発揮させることができる。
【００７１】
尚、上記の各実施例において、破砕部材２１，３３，４１は振分手段を構成する各段のスクリーンの全てに設置する必要はなく、所要のスクリーン、例えば、実施例１で示したように、最上段のスクリーンのみに設置するだけでもよい。又、各実施例を通じて同一の符号は同一の内容である。
【００７２】
上記の各実施例にいては、何れも、被分別物を振動させながら振動するスクリーン面上を流下させながら、スクリーンの振るい目のサイズの大小に応じて当該スクリーン面上を流下する被分別物（不通分別物）と、振るい目を通過して落下する被分別物（通過分別物）とに分別する分別装置において、スクリーン面上を流下して来る被分別物中の塊に衝突（接触）して破砕させる破砕部材を、当該スクリーンの振動に応じて受動的に振動するように当該スクリーン面上に配設して、破砕部材とスクリーンとの間を流下する被分別物中の塊を破砕、粉砕させる構成であり、この構成の破砕部材に、更に、スクリーン１１の振るい目に出入可能な突起や凹凸等を無数に設けることによって、塊に対する破砕或は粉砕効果を高めると共に、突起や凹凸を振るい目に出入或は接触させることにより振るい目の目詰まりを常時防止させる構成としたものである。
【産業上の利用可能性】
【００７３】
本発明は、土木建築工事現場等において生じる混合土等の廃土から石や土を分別する際や、採石場や採砂場において用いられる土を含む砂や石を分別する際のみならず、採石場、採砂場、或は採土場、更には一般及び産業廃棄物等の分別において広く利用することができる。
【図面の簡単な説明】
【００７４】
【図１】実施例１の破砕手段の斜視図である（実施例１）。
【図２】実施例１の破砕手段の変形例を示す斜視図である（実施例１）。
【図３】実施例１の破砕手段の他の変形例を示す斜視図である（実施例１）。
【図４】実施例２の破砕手段の斜視図である（実施例２）
【図５】実施例３の破砕手段の斜視図である（実施例３）
【図６】従来の分別装置の振分手段の構成を示す模式図である（従来例）。
【図７】図６の側面説明図である（従来例）。
【符号の説明】
【００７５】
１１  スクリーン
１２  振るい目
２２  投入口
２３  網目
２４  突起
３１  網状破砕手段（破砕手段）
３２  軸（索条）
３３  連繋体（破砕手段）
３４  支持柱
４１  長尺物（破砕手段）  
４２  突起
【図１】
2008264639.tif 000003
【図２】
2008264639.tif 000004
【図３】
2008264639.tif 000005
【図４】
2008264639.tif 000006
【図５】
2008264639.tif 000007
【図６】
2008264639.tif 000008
【図７】
2008264639.tif 000009